(57)【要約】【課題】浴槽と洗い場床とをより正確な位置関係に配置することができる、あるいは施工性をより向上させることができるユニットバスおよびユニットバスの施工方法を提供する。【解決手段】吊架台と、前記吊架台上の一部に設置される洗い場床と、前記洗い場床が設置されない前記吊架台上の他部に設置され、前記洗い場床の所定位置に位置決めされ連結される浴槽支持部材と、前記洗い場床に隣接して前記浴槽支持部材の上に設置され、前記浴槽支持部材の所定位置に位置決めされる浴槽と、を備えたことを特徴とするユニットバスが提供される。【選択図】図１
2010200847.tif 000002
【特許請求の範囲】
【請求項１】
吊架台と、
前記吊架台上の一部に設置される洗い場床と、
前記洗い場床が設置されない前記吊架台上の他部に設置され、前記洗い場床の所定位置に位置決めされ連結される浴槽支持部材と、
前記洗い場床に隣接して前記浴槽支持部材の上に設置され、前記浴槽支持部材の所定位置に位置決めされる浴槽と、
を備えたことを特徴とするユニットバス。
【請求項２】
前記浴槽支持部材は、鉛直方向および水平方向に位置決めされ、前記洗い場床に固定されることを特徴とする請求項１記載のユニットバス。
【請求項３】
前記浴槽支持部材は、前記洗い場床の前記浴槽側の側面に位置決めされ連結されたことを特徴とする請求項１または２に記載のユニットバス。
【請求項４】
吊架台を架設し、
前記吊架台上の一部に洗い場床を設置し、
前記洗い場床が設置されない前記吊架台上の他部に浴槽支持部材を設置し、前記洗い場床の所定位置に前記浴槽支持部材を位置決めして連結し、
前記洗い場床に隣接して前記浴槽支持部材の上に浴槽を設置し、前記浴槽支持部材の所定位置に前記浴槽を位置決めすることを特徴とするユニットバスの施工方法。
【請求項５】
前記浴槽支持部材を鉛直方向および水平方向に位置決めし、前記洗い場床に固定することを特徴とする請求項４記載のユニットバスの施工方法。
【請求項６】
前記洗い場床の前記浴槽側の側面に前記浴槽支持部材を位置決めし連結することを特徴とする請求項４または５に記載のユニットバスの施工方法。
【発明の詳細な説明】
【技術分野】
【０００１】
本発明の態様は、一般的に、ユニットバスおよびユニットバスの施工方法に関し、具体的には浴槽と洗い場床とを備えたユニットバスおよびユニットバスの施工方法に関する。
【背景技術】
【０００２】
ユニットバスの中には、浴槽と、洗い場床と、が別体として分割されたものがある。このようなユニットバスでは、一般的に、浴槽と、洗い場床と、が施工現場にそれぞれ分割された状態で搬入され、その施工現場にて組み立てられる。このとき、浴槽と洗い場床との相対的な位置は、より正確に決定されることが好ましい。これは、浴槽と洗い場床とを正確な位置に取り付けることができないと、浴槽や洗い場床などに載置される壁パネルを正確な位置に取り付けることができないためである。浴室の壁パネルを正確な位置に取り付けることができないと、ユニットバス自体が歪んだり、隙間が発生して気密性や水密性が低下するため好ましくない。
【０００３】
あるいは、洗い場床とバスエプロンとが別体として分割されている場合、浴槽と洗い場床とを正確な位置に取り付けることができないと、バスエプロンを正確な位置に取り付けることができないおそれがある。バスエプロンは、一般的に、浴槽の側面を覆い隠すように、あるいは浴槽と洗い場床との間に形成される開口を塞ぐように取り付けられる。そのため、バスエプロンを正確な位置に取り付けることができないと、隙間が発生して気密性や水密性が低下したり、意匠性が低下するため好ましくない。
【０００４】
そこで、洗い場パンの裏側から延出された補強フレーム上に、別体の浴槽脚を介在させて別体の浴槽を固設する洗い場付き浴槽の設置構造がある（特許文献１）。特許文献１に記載された設置構造によれば、浴槽を補強フレーム上に載置し位置合わせをすることにより、補強フレームからみた浴槽の設置位置を決定することができる。
【０００５】
一方、寒冷地では、ユニットバスの下に断熱材を設置する場合がある。この場合には、断熱材の設置空間を確保するために、浴槽や洗い場床を建物床に直接載置するのではなく、例えば、吊架台が使用される（特許文献２）。吊架台は例えば基礎や土台に取り付けられ、浴槽や洗い場床などは、その吊架台の上に載置される。これにより、断熱材の設置空間が確保される。
【０００６】
ここで、ユニットバスの下に断熱材を設置する場合には、作業用の足場を確保するため、一般的に、まず吊架台が建物躯体に取り付けられる。そして、作業者などは、その吊架台を足場として利用し、洗い場床や浴槽を吊架台の上に載置する。つまり、洗い場床や浴槽は、吊架台に予め固定されているわけではない。しかしながら、吊架台を建物躯体に取り付けた後に、その吊架台に洗い場床を固定しても、吊架台からみた洗い場床の位置を決定できない場合がある。あるいは、ユニットバスの施工現場によっては、吊架台を建物躯体の所定位置に取り付けることができない場合がある。そのため、吊架台と、洗い場床と、の相対的な位置は、ある程度の自由度を有することが好ましい。
【０００７】
しかしながら、吊架台からみた洗い場床の位置を決定できない状態において、吊架台を基準として浴槽を設置すると、浴槽と洗い場床との相対的な位置が正確に決定されないおそれがある。そうすると、前述したように、ユニットバス自体が歪んだり、隙間が発生して気密性や水密性が低下するため好ましくない。
【先行技術文献】
【特許文献】
【０００８】
【特許文献１】特開２００５−１６２６３号公報
【特許文献２】特開２００８−２４０２５４号公報
【発明の概要】
【発明が解決しようとする課題】
【０００９】
本発明の態様は、かかる課題の認識に基づいてなされたものであり、浴槽と洗い場床とをより正確な位置関係に配置することができる、あるいは施工性をより向上させることができるユニットバスおよびユニットバスの施工方法を提供する。
【課題を解決するための手段】
【００１０】
本発明の一態様によれば、吊架台と、前記吊架台上の一部に設置される洗い場床と、前記洗い場床が設置されない前記吊架台上の他部に設置され、前記洗い場床の所定位置に位置決めされ連結される浴槽支持部材と、前記洗い場床に隣接して前記浴槽支持部材の上に設置され、前記浴槽支持部材の所定位置に位置決めされる浴槽と、を備えたことを特徴とするユニットバスが提供される。
【００１１】
また、本発明の他の一態様によれば、吊架台を架設し、前記吊架台上の一部に洗い場床を設置し、前記洗い場床が設置されない前記吊架台上の他部に浴槽支持部材を設置し、前記洗い場床の所定位置に前記浴槽支持部材を位置決めして連結し、前記洗い場床に隣接して前記浴槽支持部材の上に浴槽を設置し、前記浴槽支持部材の所定位置に前記浴槽を位置決めすることを特徴とするユニットバスの施工方法が提供される。
【発明の効果】
【００１２】
本発明の態様によれば、浴槽と洗い場床とをより正確な位置関係に配置することができる、あるいは施工性をより向上させることができるユニットバスおよびユニットバスの施工方法が提供される。
【図面の簡単な説明】
【００１３】
【図１】本発明の実施の形態にかかるユニットバスを表す斜視模式図である。
【図２】本実施形態にかかるユニットバスにおいて、浴槽およびバスエプロンを省略した状態を表す斜視模式図である。
【図３】本実施形態の吊架台を表す斜視模式図である。
【図４】本実施形態の浴槽支持部材を表す斜視模式図である。
【図５】吊架台を建物躯体に取り付ける方法を説明するための斜視模式図である。
【図６】洗い場床を吊架台に取り付ける方法を説明するための斜視模式図である。
【図７】吊架台に設置された洗い場床を右側方から眺めた平面模式図である。
【図８】浴槽支持部材を洗い場床に取り付ける方法を説明するための斜視模式図である。
【図９】浴槽支持部材と洗い場床とを位置決めする箇所を拡大して眺めた拡大模式図である。
【図１０】浴槽支持部材を吊架台に取り付ける方法を説明するための斜視模式図である。
【図１１】浴槽支持部材と吊架台との固定箇所を拡大して眺めた拡大模式図である。
【図１２】浴槽を浴槽支持部材に取り付ける方法を説明するための斜視模式図である。
【図１３】本実施形態の浴槽を下側から眺めた斜視模式図である。
【図１４】浴槽の下側に付設された固定部材の近傍を拡大して眺めた拡大模式図である。
【図１５】本実施形態の変形例にかかる浴槽支持部材を表す斜視模式図である。
【図１６】本変形例の浴槽支持部材と洗い場床とを位置決めする箇所を拡大して眺めた拡大模式図である。
【図１７】本実施形態の変形例にかかる吊架台を表す斜視模式図である。
【発明を実施するための形態】
【００１４】
第１の発明は、吊架台と、前記吊架台上の一部に設置される洗い場床と、前記洗い場床が設置されない前記吊架台上の他部に設置され、前記洗い場床の所定位置に位置決めされ連結される浴槽支持部材と、前記洗い場床に隣接して前記浴槽支持部材の上に設置され、前記浴槽支持部材の所定位置に位置決めされる浴槽と、を備えたことを特徴とするユニットバスである。  
このユニットバスによれば、吊架台と、洗い場床と、の相対的な位置にある程度の自由度を有しつつ、洗い場床と、浴槽と、を正確な位置関係に配置することができる。また、洗い場床と、浴槽と、の相対的な位置を浴槽支持部材を介して簡易的に決定することができるため、ユニットバスの施工性をより向上させることができる。
【００１５】
また、第２の発明は、第１の発明において、前記浴槽支持部材は、鉛直方向および水平方向に位置決めされ、前記洗い場床に固定されることを特徴とするユニットバスである。  このユニットバスによれば、洗い場床からみた浴槽支持部材の水平方向および鉛直方向の位置が決定される。すなわち、洗い場床と、浴槽支持部材と、の相対的な位置が、水平方向および鉛直方向において決定される。そのため、浴槽支持部材を介して、洗い場床と、浴槽と、を正確な位置関係に配置することができる。
【００１６】
また、第３の発明は、第１または第２の発明において、前記浴槽支持部材は、前記洗い場床の前記浴槽側の側面に位置決めされ連結されたことを特徴とするユニットバスである。  
このユニットバスによれば、洗い場床と、浴槽支持部材と、の相対的な位置を簡易的に決定することができる。そのため、ユニットバスの施工性をより向上させることができる。
【００１７】
また、第４の発明は、吊架台を架設し、前記吊架台上の一部に洗い場床を設置し、前記洗い場床が設置されない前記吊架台上の他部に浴槽支持部材を設置し、前記洗い場床の所定位置に前記浴槽支持部材を位置決めして連結し、前記洗い場床に隣接して前記浴槽支持部材の上に浴槽を設置し、前記浴槽支持部材の所定位置に前記浴槽を位置決めすることを特徴とするユニットバスの施工方法である。  
このユニットバスの施工方法によれば、吊架台と、洗い場床と、の相対的な位置にある程度の自由度を有しつつ、洗い場床と、浴槽と、を正確な位置関係に配置することができる。また、洗い場床と、浴槽と、の相対的な位置を浴槽支持部材を介して簡易的に決定することができるため、ユニットバスの施工性をより向上させることができる。さらに、ユニットバスの下側に断熱材などが設置された場合であっても、吊架台を足場として利用することにより安定した姿勢でユニットバスの施工を行うことができる。
【００１８】
また、第５の発明は、第４の発明において、前記浴槽支持部材を鉛直方向および水平方向に位置決めし、前記洗い場床に固定することを特徴とするユニットバスの施工方法である。  
このユニットバスの施工方法によれば、洗い場床からみた浴槽支持部材の水平方向および鉛直方向の位置を決定することができる。すなわち、洗い場床と、浴槽支持部材と、の相対的な位置を、水平方向および鉛直方向において決定することができる。そのため、浴槽支持部材を介して、洗い場床と、浴槽と、を正確な位置関係に配置することができる。
【００１９】
また、第６の発明は、第４または第５の発明において、前記洗い場床の前記浴槽側の側面に前記浴槽支持部材を位置決めし連結することを特徴とするユニットバスの施工方法である。  
このユニットバスの施工方法によれば、洗い場床と、浴槽支持部材と、の相対的な位置を簡易的に決定することができる。そのため、ユニットバスの施工性をより向上させることができる。
【００２０】
以下、本発明の実施の形態について図面を参照しつつ説明する。なお、各図面中、同様の構成要素には同一の符号を付して詳細な説明は適宜省略する。  
図１は、本発明の実施の形態にかかるユニットバスを表す斜視模式図である。  
また、図２は、本実施形態にかかるユニットバスにおいて、浴槽およびバスエプロンを省略した状態を表す斜視模式図である。
【００２１】
本実施形態にかかるユニットバスは、建物躯体１０に架設された吊架台１００と、吊架台の上に設置された洗い場床２００と、吊架台１００の上であって洗い場床２００が設置されていない部分に設置された浴槽支持部材３００と、浴槽支持部材３００の上に設置され洗い場床２００に隣接して設置された浴槽４００と、洗い場床２００と浴槽４００との間に設置されたバスエプロン５００と、を備える。
【００２２】
吊架台１００は、図２に表したように、建物躯体１０の上に架設され、ねじなどの締結部材により建物躯体１０に適宜固定されている。そして、この吊架台１００は、作業者などがユニットバスの施工を行う際に、足場として利用される場合がある。なお、吊架台１００の構造については、後に詳述する。
【００２３】
洗い場床２００は、吊架台１００の上に設置され、シリコンなどの接着剤により吊架台１００に適宜固定されている。このとき、吊架台１００からみた洗い場床２００の位置は、一義的には決定されていない。すなわち、吊架台１００と、洗い場床２００と、の相対的な位置は、ある程度の自由度を有する。そのため、洗い場床２００は、作業者などにより任意の位置に調整され、吊架台１００に適宜固定されている。
【００２４】
浴槽支持部材３００は、吊架台１００の上に設置され、吊架台１００および洗い場床２００に固定されている。このとき、浴槽支持部材３００は、洗い場床２００における浴槽４００側の側面に位置決めされ、締結部材により洗い場床２００に適宜固定されている。そして、浴槽支持部材３００は、洗い場床２００に位置決めされ固定された後に、締結部材などにより吊架台１００の上面に適宜固定されている。これらの施工方法および浴槽支持部材３００の構造については、後に詳述する。
【００２５】
浴槽４００は、図１に表したように、浴槽支持部材３００の上に設置され、その浴槽支持部材３００に位置決めされる。つまり、浴槽支持部材３００からみた浴槽４００の位置は、略一義的に決定される。そして、浴槽４００は、締結部材などにより浴槽支持部材３００に適宜固定される。
【００２６】
これによれば、浴槽支持部材３００は、洗い場床２００に位置決めされており、浴槽４００は、洗い場床２００に位置決めされた浴槽支持部材３００に位置決めされている。その結果、洗い場床２００と、浴槽４００と、の相対的な位置は、浴槽支持部材３００を介して決定される。つまり、洗い場床２００からみた浴槽４００の位置は、浴槽支持部材３００を介して略一義的に決定される。そのため、吊架台１００と、洗い場床２００と、の相対的な位置にある程度の自由度を有しつつ、洗い場床２００と、浴槽４００と、の相対的な位置を決定することができる。これにより、洗い場床２００と浴槽４００とをより正確な位置関係に配置することができる。また、洗い場床２００と、浴槽４００と、の相対的な位置を浴槽支持部材３００を介して簡易的に決定することができるため、ユニットバスの施工性をより向上させることができる。
【００２７】
なお、図１および図２に表したように、建物躯体１０に囲まれた範囲であってユニットバスの下側には、空間が存在する。そのため、例えば、その空間に断熱材２０を設置することができる。これによれば、ユニットバスの下側への放熱を抑えることができる。これは、例えば寒冷地などにおいて有効な手段の１つである。
【００２８】
次に、吊架台１００および浴槽支持部材３００の構造について、図面を参照しつつ説明する。  
図３は、本実施形態の吊架台を表す斜視模式図である。  
また、図４は、本実施形態の浴槽支持部材を表す斜視模式図である。
【００２９】
まず、図３を参照しつつ、吊架台１００について説明する。本実施形態の吊架台１００は、吊架台本体１１０と、連結部材１２０と、を有する。なお、図３に表した吊架台１００は、２つの吊架台本体１１０と、２つの連結部材１２０と、を有しているが、これだけに限定されず、例えば、３つの吊架台本体１１０と、３つの連結部材１２０と、を有していてもよい。すなわち、吊架台本体１１０および連結部材１２０の設置数については、図３に表した吊架台１００に限定されるわけではない。
【００３０】
吊架台本体１１０は、両端部に取付部１１１、１１３を有する。この取付部１１１、１１３には、ねじなどの締結部材を通す孔が適宜設けられている。そのため、吊架台本体１１０は、図２に表したように、取付部１１１、１１３において建物躯体１０に引っ掛けられ架設されて、締結部材により建物躯体１０に適宜固定されている。
【００３１】
また、吊架台本体１１０は、取付部１１１と取付部１１３との間に屈曲部１１５を有する。この屈曲部１１５を適宜設定することにより、洗い場床２００と、浴槽４００と、の高さを適宜設定することができる。本実施形態では、洗い場床２００は、屈曲部１１５からみて上段側に設置され、浴槽支持部材３００および浴槽４００は、屈曲部１１５からみて下段側に設置される。
【００３２】
２つの吊架台本体１１０は、連結部材１２０により互いに連結されている。このとき、２つの吊架台本体１１０は、互いに略並行するように適宜調整され、ねじなどの締結部材６０１により連結部材１２０に固定されている。その結果、２つの吊架台本体１１０は、互いに略並行に保持されている。なお、吊架台本体１１０と連結部材１２０とは、締結部材６０１ではなく接着剤などにより固定されていてもよい。
【００３３】
続いて、図４を参照しつつ、浴槽支持部材３００について説明する。本実施形態の浴槽支持部材３００は、浴槽受フレーム３１０と、位置決め部材３２０ａ、３２０ｂと、連結部材３３０と、を有する。なお、図４に表した浴槽支持部材３００は、２つの浴槽受フレーム３１０と、２つの位置決め部材３２０ａ、３２０ｂと、を有しているが、浴槽受フレーム３１０および位置決め部材３２０ａ、３２０ｂの設置数については、これだけに限定されるわけではない。
【００３４】
浴槽受フレーム３１０は、ねじなどの締結部材を通す孔３１１を両端部に有する。そのため、浴槽受フレーム３１０は、孔３１１に締結部材を通すことにより、図２に表したように、吊架台１００に固定される。なお、孔３１１の設置数および設置位置については、図４に表した孔３１１の設置数および設置位置に限定されるわけではない。また、２つの浴槽受フレーム３１０は、連結部材３３０により互いに連結されている。このとき、２つの浴槽受フレーム３１０は、互いに略並行するように適宜調整され、締結部材６０１により連結部材３３０に固定されている。
【００３５】
さらに、浴槽受フレーム３１０には、位置決め部材３２０ａ、３２０ｂが取り付けられている。このとき、位置決め部材３２０ａ、３２０ｂは、互いに略並行するように適宜調整され、締結部材６０１により浴槽受フレーム３１０に固定されている。位置決め部材３２０ａ、３２０ｂは、浴槽受フレーム３１０に固定されていない側の一端部において、上方に屈曲した連結部３２１ａ、３２１ｂをそれぞれ有する。
【００３６】
そして、浴槽支持部材３００は、図２に表したように、この連結部３２１ａ、３２１ｂにおいて、洗い場床２００の側面に位置決めされ固定されている。これについては、後に詳述する。なお、浴槽受フレーム３１０と連結部材３３０とは、あるいは浴槽受フレーム３１０と位置決め部材３２０ａ、３２０ｂとは、締結部材６０１ではなく接着剤などにより固定されていてもよい。
【００３７】
次に、本実施形態にかかるユニットバスの施工方法について、図面を参照しつつ説明する。  
図５は、吊架台を建物躯体に取り付ける方法を説明するための斜視模式図である。
【００３８】
本実施形態にかかるユニットバスを施工方法では、まず、作業者は、施工現場において建物の骨組み、あるいは枠体などとして設けられた建物躯体１０に吊架台本体１１０の取付部１１１、１１３を引っ掛け、吊架台１００を架設する。続いて、作業者は、図５に表したように、取付部１１１、１１３に設けられた図示しない孔に締結部材６０１を通して締め付けることにより、吊架台１００を建物躯体１０に固定する。
【００３９】
そして、断熱材２０（図１および図２参照）をユニットバスの下側に設置する場合には、吊架台１００を建物躯体１０に固定した後、あるいは吊架台１００を建物躯体１０に固定する前に、建物躯体１０に囲まれた範囲であって吊架台１００の下側の空間に設置する。なお、吊架台１００の左右方向の設置位置は、一義的に決定されるわけではないが、建物躯体１０の略中央部に設置され固定されることがより好ましい。
【００４０】
図６は、洗い場床を吊架台に取り付ける方法を説明するための斜視模式図である。  
また、図７は、吊架台に設置された洗い場床を右側方から眺めた平面模式図である。  
続いて、本実施形態にかかるユニットバスの施工方法では、作業者は、洗い場床２００を吊架台１００に取り付ける。作業者は、吊架台本体１１０の屈曲部１１５からみて上段側の吊架台１００上に洗い場床２００を載置する。
【００４１】
このとき、吊架台１００の下に断熱材２０が設置されている場合には、作業者は建物床に足を付けて作業することができない。さらに、作業者は、断熱材２０の上に乗りつつ作業することもできない。これは、断熱材２０を破損させるおそれがあるためである。これに対して、本実施形態にかかるユニットバスの施工方法では、洗い場床２００を設置する際には、吊架台１００が建物躯体１０にすでに固定されているため、作業者は、その吊架台１００を足場として作業を行うことができる。より具体的には、作業者は、吊架台１００を足場として利用することにより安定した姿勢で、洗い場床２００を吊架台１００の上に載置できる。
【００４２】
続いて、作業者は、洗い場床２００の設置位置を決めた後、洗い場床２００を一旦持ち上げ、吊架台１００の上面および洗い場床２００の下面の少なくともいずれかに例えばシリコンなどの接着剤６０３を適宜塗布し、洗い場床２００を吊架台１００上に再度載置する。これにより、図７に表したように、吊架台１００の上面と、洗い場床２００の下面と、の間に接着剤６０３が介在し、洗い場床２００は吊架台１００に固定される。なお、作業者は、吊架台１００の上面および洗い場床２００の下面の少なくともいずれかに接着剤６０３を予め塗布し、洗い場床２００を吊架台１００の上に載置し固定してもよい。
【００４３】
ここで、図１および図２に関して前述したように、吊架台１００からみた洗い場床２００の位置は、一義的には決定されていない。すなわち、吊架台１００と、洗い場床２００と、の相対的な位置は、ある程度の自由度を有する。これによれば、ユニットバスの施工現場の状況により、吊架台１００を建物躯体１０の所定位置に取り付けることができない場合であっても柔軟に対応でき、洗い場床２００を吊架台１００に固定することができる。また、吊架台１００の組立誤差や、吊架台１００および洗い場床２００の寸法誤差などにも柔軟に対応することができる。
【００４４】
図８は、浴槽支持部材を洗い場床に取り付ける方法を説明するための斜視模式図である。  
また、図９は、浴槽支持部材と洗い場床とを位置決めする箇所を拡大して眺めた拡大模式図である。  
なお、図９（ａ）は、位置決め部材３２０ａと洗い場床２００との位置決め箇所を表した拡大模式図であり、図９（ｂ）は、位置決め部材３２０ｂと洗い場床２００との位置決め箇所を表した拡大模式図である。すなわち、図９（ａ）は、図８に表した範囲Ａを矢視Ｃの方向に見た拡大模式図であり、図９（ｂ）は、図８に表した範囲Ｂを矢視Ｃの方向に見た拡大模式図である。
【００４５】
続いて、本実施形態にかかるユニットバスの施工方法では、作業者は、浴槽支持部材３００を洗い場床２００に取り付ける。このとき、浴槽支持部材３００は、図８に表したように、洗い場床２００における浴槽４００側の側面に位置決めされ、締結部材６０１により洗い場床２００に固定されている。
【００４６】
図９を参照しつつ、より具体的に説明すると、洗い場床２００は、浴槽４００が設置される側の側面において上下方向に延在するリブ２１０を有する。そして、図８に表したように、複数のリブ２１０は、洗い場床２００の長手方向（左右方向）にそれぞれ離間して設けられている。また、洗い場床２００は、浴槽４００が設置される側の側面において、洗い場床２００の長手方向（左右方向）に延在する段差部２２０を有する。
【００４７】
そして、作業者は、図９（ａ）に表したように、位置決め部材３２０ａの連結部３２１ａの左端部をリブ２１０に当接させ、位置決め部材３２０ａの連結部３２１ａの上端部を段差部２２０に当接させる。これと同様にして、作業者は、図９（ｂ）に表したように、位置決め部材３２０ｂの連結部３２１ｂの右端部をリブ２１０に当接させ、位置決め部材３２０ｂの連結部３２１ｂの上端部を段差部２２０に当接させる。さらに、作業者は、浴槽支持部材３００を洗い場床２００側へ移動させ、位置決め部材３２０ａ、３２０ｂの連結部３２１ａ、３２１ｂを洗い場床２００の側面にそれぞれ当接させる。
【００４８】
これにより、洗い場床２００からみた浴槽支持部材３００の水平方向（左右方向および前後方向）と、上下方向（鉛直方向）と、の位置が決定される。すなわち、洗い場床２００と、浴槽支持部材３００と、の相対的な位置が、水平方向および鉛直方向において決定される。そして、作業者は、連結部３２１ａ、３２１ｂにそれぞれ設けられた孔３２３ａ、３２３ｂに締結部材６０１を通して締め付けることにより、浴槽支持部材３００を洗い場床２００に位置決めしつつ固定することができる。
【００４９】
なお、図９に表した取り付け方法では、連結部３２１ａの左端部および連結部３２１ｂの右端部をリブ２１０にそれぞれ当接させているが、これだけに限定されるわけではない。例えば、リブ２１０は段差部であってもよい。すなわち、洗い場床２００は、浴槽４００が設置される側の側面において上下方向に延在する段差部を有し、連結部３２１ａの左端部および連結部３２１ｂの右端部をその段差部にそれぞれ当接させてもよい。これによっても、洗い場床２００からみた浴槽支持部材３００の水平方向と、上下方向と、の位置が決定される。
【００５０】
図１０は、浴槽支持部材を吊架台に取り付ける方法を説明するための斜視模式図である。  
また、図１１は、浴槽支持部材と吊架台との固定箇所を拡大して眺めた拡大模式図である。  
なお、図１１は、図１０に表した範囲Ｄを拡大して眺めた拡大模式図である。
【００５１】
続いて、本実施形態にかかるユニットバスの施工方法では、作業者は、浴槽支持部材３００が洗い場床２００に位置決めされ固定された状態において、浴槽支持部材３００を吊架台１００に固定する。ここで、浴槽支持部材３００の浴槽受フレーム３１０には、図１１に表したように、締結部材６０１を通す孔３１１が設けられている。なお、図４に表した浴槽支持部材３００では、３つの孔３１１が略直列的に配置されているが、孔３１１は、図１１に表したように、ジグザグ（稲妻形）状に配置されていてもよい。
【００５２】
そして、作業者は、洗い場床２００に位置決めされ固定された浴槽支持部材３００と、吊架台１００と、の位置関係により、浴槽受フレーム３１０の両端部に設けられた複数の孔３１１からそれぞれ１つの孔３１１を適宜選択する。このとき、吊架台１００の吊架台本体１１０には、いわゆる「ねじの下穴」や「雌ねじ」などは設けられていないため、作業者は、浴槽支持部材３００と吊架台１００との位置関係により、任意の孔３１１を選択できる。続いて、作業者は、図１０に表したように、その選択した孔３１１に締結部材６０１を通し締め付けることにより、浴槽支持部材３００を吊架台１００に固定することができる。
【００５３】
これにより、浴槽支持部材３００は、洗い場床２００に位置決めされ、吊架台１００には位置決めされずにある程度の自由度を有しつつ、洗い場床２００および吊架台１００に固定される。
【００５４】
図１２は、浴槽を浴槽支持部材に取り付ける方法を説明するための斜視模式図である。  また、図１３は、本実施形態の浴槽を下側から眺めた斜視模式図である。  
また、図１４は、浴槽の下側に付設された固定部材の近傍を拡大して眺めた拡大模式図である。
【００５５】
続いて、本実施形態にかかるユニットバスの施工方法では、作業者は、浴槽４００を浴槽支持部材３００に取り付ける。作業者は、浴槽支持部材３００の浴槽受フレーム３１０上に浴槽４００を載置する。ここで、浴槽４００の下側には、図１３に表したように、固定部材４１０と、支持脚４２０と、が付設されている。固定部材４１０は、図１４に表したように、浴槽４００の下側に固定される基部４１１と、基部４１１と略直交して延在し浴槽受フレーム３１０に固定される固定部４１３と、を有する。
【００５６】
固定部材４１０は、図１４に表したように、基部４１１において締結部材６０１により浴槽４００の下側に固定されている。また、固定部４１３の端部には、浴槽４００からみて洗い場床２００側に湾曲したガイド部４１４が設けられている。これにより、浴槽４００を浴槽受フレーム３１０に載置する際、浴槽４００に付設された固定部材４１０は、ガイド部４１４により案内されるため、作業者は、浴槽４００を浴槽受フレーム３１０上に楽に載置できる。なお、本実施形態の浴槽４００では、図１３に表したように、２つの固定部材４１０が浴槽４００の長手方向（左右方向）に離間して付設されている。但し、固定部材４１０の設置数や設置位置については、これだけに限定されるわけではない。
【００５７】
作業者が浴槽支持部材３００の浴槽受フレーム３１０上に浴槽４００を載置すると、固定部材４１０の基部４１１の下面と、洗い場床２００側の浴槽受フレーム３１０の上面と、は当接する。また、浴槽４００の下側に付設された支持脚４２０は、洗い場床２００とは反対側の浴槽受フレーム３１０の上面に載置される（図１参照）。これにより、浴槽支持部材３００からみた浴槽４００の上下方向の位置が決定される。すなわち、浴槽支持部材３００と、浴槽４００と、の相対的な位置が、鉛直方向において決定される。
【００５８】
また、作業者は、浴槽受フレーム３１０上に浴槽４００を載置した状態で、浴槽４００を洗い場床２００とは反対方向（前方向）に移動させる。そうすると、固定部材４１０の固定部４１３の内面（基部４１１側の側面）と、浴槽受フレーム３１０の側面と、は当接する。これにより、浴槽支持部材３００からみた浴槽４００の前後方向の位置が決定される。すなわち、浴槽支持部材３００と、浴槽４００と、の相対的な位置が、前後方向において決定される。
【００５９】
さらに、作業者は、浴槽４００を左右方向に移動させることにより、固定部材４１０の固定部４１３に設けられた孔４１５（図１４参照）と、浴槽受フレーム３１０の側面に設けられた図示しない孔と、の位置を合わせる。なお、浴槽受フレーム３１０の側面に設けられた図示しない孔は、いわゆる「ねじの下穴」や「雌ねじ」などである。これにより、浴槽支持部材３００からみた浴槽４００の左右方向の位置が決定される。すなわち、浴槽支持部材３００と、浴槽４００と、の相対的な位置が、左右方向において決定される。
【００６０】
以上、図１２〜図１４に関して説明した施工方法により、浴槽支持部材３００からみた浴槽４００の水平方向（左右方向および前後方向）と、上下方向（鉛直方向）と、の位置が決定される。すなわち、浴槽支持部材３００と、浴槽４００と、の相対的な位置が、水平方向および鉛直方向において決定される。そして、作業者は、固定部材４１０の固定部４１３に設けられた孔４１５に締結部材６０１を通して締め付けることにより、浴槽４００を浴槽支持部材３００に位置決めしつつ固定することができる。
【００６１】
続いて、作業者は、図１２に表したように、浴槽４００と洗い場床２００との間に形成される開口を塞ぐように、バスエプロン５００を適宜固定する。これにより、本実施形態にかかるユニットバスの施工は完了する。
【００６２】
以上説明したユニットバスの施工方法によれば、浴槽支持部材３００は、洗い場床２００に位置決めされる。また、浴槽４００は、浴槽支持部材３００に位置決めされる。その結果、洗い場床２００と、浴槽４００と、の相対的な位置は、浴槽支持部材３００を介してより正確に決定される。また、洗い場床２００と、浴槽４００と、の相対的な位置を浴槽支持部材３００を介して簡易的に決定することができるため、ユニットバスの施工性をより向上させることができる。
【００６３】
次に、本実施形態の変形例について、図面を参照しつつ説明する。  
図１５は、本実施形態の変形例にかかる浴槽支持部材を表す斜視模式図である。  
また、図１６は、本変形例の浴槽支持部材と洗い場床とを位置決めする箇所を拡大して眺めた拡大模式図である。  
なお、図１６（ａ）は、図８に表した範囲Ａを矢視Ｃの方向に見た拡大模式図に相当し、図１６（ｂ）は、図８に表した範囲Ｂを矢視Ｃの方向に見た拡大模式図に相当する。
【００６４】
本変形例の浴槽支持部材７００では、図４に表した浴槽支持部材３００の位置決め部材３２０ａ、３２０ｂが、位置決め部材７２０ａ、７２０ｂに置き換えられている。位置決め部材７２０ａ、７２０ｂは、図４に表した位置決め部材３２０ａ、３２０ｂと同様に、浴槽受フレーム３１０に固定されていない側の一端部において、上方に屈曲した連結部７２１ａ、７２１ｂをそれぞれ有する。
【００６５】
一方、連結部７２１ａ、７２１ｂは、その上端部において、連結部３２１ａ、３２１ｂのようには左右方向にそれぞれ突出した部分を有していない。つまり、連結部７２１ａ、７２１ｂは、略直線状で鉛直方向に延在する。この場合であっても、作業者は、図１６（ａ）に表したように、位置決め部材７２０ａの連結部７２１ａの左端部をリブ２１０に当接させ、位置決め部材７２０ａの連結部７２１ａの上端部を段差部２２０に当接させることができる。これと同様にして、作業者は、図１６（ｂ）に表したように、位置決め部材７２０ｂの連結部７２１ｂの右端部をリブ２１０に当接させ、位置決め部材７２０ｂの連結部７２１ｂの上端部を段差部２２０に当接させることができる。
【００６６】
その他の構造については、図４に表した浴槽支持部材３００の構造と同様である。但し、図１５に表した浴槽支持部材７００では、締結部材６０１を省略している。
【００６７】
これにより、洗い場床２００からみた浴槽支持部材３００の左右方向と、上下方向と、の位置が決定される。すなわち、洗い場床２００と、浴槽支持部材３００と、の相対的な位置が、左右方向および鉛直方向において決定される。また、本変形例の浴槽支持部材７００は、略直線状で鉛直方向に延在した連結部３２１ａ、３２１ｂを有するため、浴槽４００の種々のサイズに柔軟に対応することができる。さらに、位置決め部材７２０ａ、７２０ｂの構造を簡略化できるため、浴槽支持部材７００の製造コストを低減することができる。
【００６８】
図１７は、本実施形態の変形例にかかる吊架台を表す斜視模式図である。  
本変形例の吊架台は、洗い場床２００を設置する洗い場床吊架台８００と、浴槽４００を設置する浴槽吊架台８５０と、を有する。つまり、本変形例の吊架台は、洗い場床２００用の吊架台と、浴槽４００用の吊架台と、に分割されている。これによれば、本変形例の吊架台は、より大きなサイズの浴槽４００にも対応できる。
【００６９】
洗い場床吊架台８００は、吊架台本体８１０と、連結部材８２０と、を有する。なお、吊架台本体８１０および連結部材８２０の設置数は、図１７に表した洗い場床吊架台８００に限定されるわけではない。本変形例の洗い場床吊架台８００では、２つの吊架台本体８１０が、３つの連結部材８２０により互いに連結されている。このとき、２つの吊架台本体８１０は、互いに略並行するように適宜調整され、締結部材６０１により連結部材８２０に固定されている。その結果、２つの吊架台本体８１０は、互いに略並行に保持されている。
【００７０】
吊架台本体８１０は、両端部に取付部８１１を有する。この取付部８１１には、締結部材６０１を通す孔が適宜設けられている。そのため、吊架台本体８１０は、図１７に表したように、取付部８１１において建物躯体１０に引っ掛けられ架設されて、締結部材６０１により建物躯体１０に適宜固定されている。
【００７１】
浴槽吊架台８５０は、洗い場床吊架台８００と同様に、吊架台本体８６０と、連結部材８７０と、を有する。なお、吊架台本体８６０および連結部材８７０の設置数は、図１７に表した浴槽吊架台８５０に限定されるわけではない。本変形例の浴槽吊架台８５０では、２つの吊架台本体８６０が、２つの連結部材８７０により互いに連結されている。このとき、２つの吊架台本体８６０は、互いに略並行するように適宜調整され、締結部材６０１により連結部材８７０に固定されている。その結果、２つの吊架台本体８６０は、互いに略並行に保持されている。
【００７２】
吊架台本体８６０は、両端部に取付部８６１を有する。この取付部８６１には、締結部材６０１を通す孔が適宜設けられている。そのため、吊架台本体８６０は、図１７に表したように、取付部８６１において建物躯体１０に引っ掛けられ架設されて、締結部材６０１により建物躯体１０に適宜固定されている。
【００７３】
そして、洗い場床２００を洗い場床吊架台８００に固定し、浴槽支持部材３００を洗い場床２００に位置決めしつつ固定し、浴槽４００を浴槽吊架台８５０に載置して浴槽支持部材３００に位置決めしつつ固定する施工方法については、図６〜図１４に関して前述した施工方法と同様である。これによれば、より大きなサイズの浴槽４００に柔軟に対応しつつ、洗い場床２００と、浴槽４００と、の相対的な位置を浴槽支持部材３００を介してより正確に決定することができる。
【００７４】
以上説明したように、本実施形態によれば、浴槽支持部材３００は、洗い場床２００に位置決めされており、浴槽４００は、洗い場床２００に位置決めされた浴槽支持部材３００に位置決めされている。その結果、洗い場床２００と、浴槽４００と、の相対的な位置は、浴槽支持部材３００を介して決定される。これにより、洗い場床２００と浴槽４００とをより正確な位置関係に配置することができる。また、洗い場床２００と、浴槽４００と、の相対的な位置を浴槽支持部材３００を介して簡易的に決定することができるため、ユニットバスの施工性をより向上させることができる。
【００７５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗い場床２００や浴槽４００などが備える各要素の形状、寸法、材質、配置などやバスエプロン５００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７６】
１０ 建物躯体、  ２０ 断熱材、  １００ 吊架台、  １１０ 吊架台本体、  １１１、１１３ 取付部、  １１５ 屈曲部、  １２０ 連結部材、  ２００ 洗い場床、  ２１０ リブ、  ２２０ 段差部、  ３００ 浴槽支持部材、  ３１０ 浴槽受フレーム、  ３１１ 孔、  ３２０ａ、３２０ｂ 位置決め部材、  ３２１ａ、３２１ｂ 連結部、  ３２３ａ、３２３ｂ 孔、  ３３０ 連結部材、  ４００ 浴槽、  ４１０ 固定部材、  ４１１ 基部、  ４１３ 固定部、  ４１４ ガイド部、  ４１５ 孔、  ４２０ 支持脚、  ５００ バスエプロン、  ６０１ 締結部材、  ６０３ 接着剤、  ７００ 浴槽支持部材、  ７２０ａ、７２０ｂ 位置決め部材、  ７２１ａ、７２１ｂ 連結部、  ８００ 洗い場床吊架台、  ８１０ 吊架台本体、  ８１１ 取付部、  ８２０ 連結部材、  ８５０ 浴槽吊架台、  ８６０ 吊架台本体、  ８６１ 取付部、  ８７０ 連結部材
【図１】
2010200847.tif 000003
【図２】
2010200847.tif 000004
【図３】
2010200847.tif 000005
【図４】
2010200847.tif 000006
【図５】
2010200847.tif 000007
【図６】
2010200847.tif 000008
【図７】
2010200847.tif 000009
【図８】
2010200847.tif 000010
【図９】
2010200847.tif 000011
【図１０】
2010200847.tif 000012
【図１１】
2010200847.tif 000013
【図１２】
2010200847.tif 000014
【図１３】
2010200847.tif 000015
【図１４】
2010200847.tif 000016
【図１５】
2010200847.tif 000017
【図１６】
2010200847.tif 000018
【図１７】
2010200847.tif 000019